(57)【要約】      （修正有）【課題】複数の記録媒体についての操作を受け付ける再生装置において、トレイの出し入れのためのキーを共用にする。【解決手段】再生装置は、液晶表示部３、ビデオユニット５、ディスクユニット６、信号処理部７、操作部８、制御部９を備える。操作部８は、ビデオモードキー８１、ＤＶＤモードキー８２、および、１つの排出キー８３を備える。排出キー８３が押されると、ビデオユニット５、ディスクユニット６のうちいずれのユニットに対する操作であるかの確認を促すために、液晶表示部３を点滅させる。ビデオモードキー８１が押されると、ビデオユニット５の排出/搬入機構部５１を動作させる。ＤＶＤモードキー８２が押されると、トレイ駆動部６２を動作させる。【選択図】図３
2009217910.tif 000002
【特許請求の範囲】
【請求項１】
複数の記録媒体を各々収納する収納部と、
記録媒体を載置するトレイまたは前記記録媒体自体を、前記収納部各々から外部へ取り出し可能にする記録媒体排出機構であって、電気的入力によって動作する記録媒体排出機構と、を備えた再生装置において、
装置本体に設けられた１つの排出キーと、
前記排出キーが押された場合に、どの記録媒体排出機構を動作させるかを選択する操作を、装置本体に設けられたキーの入力で代用し、前記排出キーが押された後、当該キーによる操作がなされると、当該キーに対応する記録媒体排出機構を動作させる選択手段と、を備えた再生装置。
【請求項２】
前記記録媒体に対応して装置本体に各々設けられたモードキーであって、当該記録媒体に対する操作がアクティブになるよう切り換えるためのモードキーを備え、
前記選択手段で用いるキーは、前記モードキーである請求項１に記載の再生装置。
【請求項３】
装置本体に表示部を備え、
前記選択手段において、前記選択する操作で用いるキーは、前記排出キーであり、
前記選択手段は、
前記排出キーが最初に押されると、前記表示部の表示を、前記記録媒体の名称の各々またはそのユニットの名称の各々に順次切換を行い、
当該切換を行っている間に前記排出キーが再び押されると、前記記録媒体排出機構のうち、当該排出キーが押されたときの表示部の表示に対応する記録媒体排出機構を動作させる請求項１に記載の再生装置。
【請求項４】
前記記録媒体排出機構は、
記録媒体の排出時のみ、前記電気的入力により動作する第１の排出機構を１以上備えると共に、記録媒体の排出時のみならず、搬入時においても、前記電気的入力により、記録媒体を載置するトレイを出し入れする第２の排出機構を１つ備え、
前記第１の排出機構に対応する収納部のいずれにも記録媒体が入っていないときは、
前記選択手段は、排出キーが最初に押されると、その後のキー操作を受けなくとも、前記第２の排出機構を動作させる請求項１〜３のいずれかに記載の再生装置。
【請求項５】
前記第２の排出機構のトレイが排出状態にある場合であって、前記第１の排出機構に対応する収納部に記録媒体が入っていないときは、
前記選択手段は、排出キーが最初に押されると、その後のキー操作を受けなくとも、前記第２の排出機構を動作させて、前記トレイを前記再生装置内部に搬入させる請求項４に記載の再生装置。
【請求項６】
前記第１の排出機構は、ビデオテープを排出する排出機構であって、
前記第２の排出機構は、光ディスクのトレイの排出、搬入機構である請求項４〜５のいずれかに記載の再生装置。
【発明の詳細な説明】
【技術分野】
【０００１】
本発明は、２つ以上の記録媒体を挿入できる再生装置録画装置に関し、特に記録媒体を排出するトレイまたは記録媒体自体の、排出手段に関する。
【背景技術】
【０００２】
従来、複数の記録媒体を挿入して、選択的に再生を行ったり、ダビングを行ったりする再生装置、いわゆるダブルデッキが開発されている。
【０００３】
図１を用いて従来の再生装置１００について説明する。再生装置１００は、装置本体のパネルに、ビデオテープやＤＶＤを挿入するためのビデオテープ挿入口１０１と、ＤＶＤトレイ１０２を備える。また、これらの記録媒体のいずれかに対する再生等の操作がアクティブになるように切り換えるＶＨＳモードキー１０３（Vertical Helical Scan or Video Home System）、ＤＶＤモードキー１０４が設けられている。また、これらの記録媒体を排出するためのビデオテープ排出キー１０５、ＤＶＤ排出キー１０６を備える。また、再生装置１００の状態を示すための液晶表示部１０８を備えている。このように、従来の再生装置１００は、各記録媒体にそれぞれ、排出キーを設けていた。
【０００４】
また、特許文献１〜２には、トレイの開閉ボタンを共用にした再生装置等が開示されている。
【特許文献１】実開平１−７１３９１号公報
【特許文献２】特開２００６−３３８７４８公報
【発明の開示】
【発明が解決しようとする課題】
【０００５】
しかしながら、従来の録画装置１００は、トレイ開閉するための排出キーが別々に設けられているので、キーを複数用意する必要があり、費用が増す虞があった。
【０００６】
また、特許文献１の構成は、機構的にスイッチを制御しており、構造が複雑である問題があった。特許文献２の構成は、リモコンに切換キーを備えている。しかし、記録媒体を取り出したいユーザとしては、リモコンでなく装置本体に近寄って操作することが予想されるから、ユーザにリモコンでの操作を要求することは、必ずしも操作性が良くない問題があった。
【０００７】
そこで、本発明は、複数の記録媒体についての操作を受け付ける再生装置において、トレイの出し入れのためのキーを共用にすることを目的とする。
【課題を解決するための手段】
【０００８】
上記課題を解決するために、以下の構成を備えることができる。
【０００９】
（１）  複数の記録媒体を各々収納する収納部と、
記録媒体を載置するトレイまたは前記記録媒体自体を、前記収納部各々から外部へ取り出し可能にする記録媒体排出機構であって、電気的入力によって動作する記録媒体排出機構と、を備えた再生装置において、
装置本体に設けられた１つの排出キーと、
前記排出キーが押された場合に、どの記録媒体排出機構を動作させるかを選択する操作を、装置本体に設けられたキーの入力で代用し、前記排出キーが押された後、当該キーによる操作がなされると、当該キーに対応する記録媒体排出機構を動作させる選択手段と、を備えた。
【００１０】
この構成では、排出キーを１つにしているのでコストダウンに寄与する。また、装置本体の設けられたキーにより、どの記録媒体排出機構を動作させるかの選択を、装置本体のキー操作で代用し、このキーの入力が複数の操作を兼ねているので、排出キーを１つにしても、いずれの記録媒体に対する操作であるかを特定できる。
【００１１】
そして、排出キーを押すことにより、そのいずれの記録媒体に対する操作であるかを特定する操作モードに入ると選択手段のためのキーとして機能するから、当該兼ね備えているキーの本来の機能の障害となることがない。そして、これらのキーは、装置本体に設けられたキーを用いている。したがって、リモコンを用いているものと異なり、操作が装置本体で完結しているから、操作性を犠牲にしなくても済む。
【００１２】
（２）  前記記録媒体に対応して装置本体に各々設けられたモードキーであって、当該記録媒体に対する操作がアクティブになるよう切り換えるためのモードキーを備え、
前記選択手段で用いるキーは、前記モードキーである。
【００１３】
この構成では、本来どの記録媒体をアクティブにして操作を受け付けるかを決定するのに用いるモードキーを用いているので、キー操作を兼ね備えることができる。選択手段で用いるモードキーの操作は、排出キーが押された場合に有効になるから、モードキーの本来有する機能の障害となることがない。したがって、操作性を犠牲にしなくても済む。
【００１４】
（３）  装置本体に表示部を備え、
前記選択手段において、前記選択する操作で用いるキーは、前記排出キーであり、
前記選択手段は、
前記排出キーが最初に押されると、前記表示部の表示を、前記記録媒体の名称の各々またはそのユニットの名称の各々に順次切換を行い、
当該切換を行っている間に前記排出キーが再び押されると、前記記録媒体排出機構のうち、当該排出キーが押されたときの表示部の表示に対応する記録媒体排出機構を動作させる。
【００１５】
この構成では、モードキーを備えなくても、排出キーだけで選択手段の決定ができるので、表示部を備える再生装置であれば、コストダウンになる。ユーザとしても、同じキーを押すので、操作に違和感が少ない。
【００１６】
（４）  前記記録媒体排出機構は、
記録媒体の排出時のみ、前記電気的入力により動作する第１の排出機構を１以上備えると共に、記録媒体の排出時のみならず、搬入時においても、前記電気的入力により、記録媒体を載置するトレイを出し入れする第２の排出機構を１つ備え、
前記第１の排出機構に対応する収納部のいずれにも記録媒体が入っていないときは、
前記選択手段は、排出キーが最初に押されると、その後のキー操作を受けなくとも、前記第２の排出機構を動作させる。
【００１７】
この構成では、第１の排出機構については、前記電気的入力による手段では、排出することしかできないから、記録媒体が収納部に入っていないときは、無効になる。即ち、選択手段でいずれの記録媒体をとりだすかを選択する余地はないから、第２の排出機構が１つの場合には、その後のキー操作を受けなくとも（その後のキー操作を受けてもよいがそれに関係なく）、第２の排出機構を動作させる。したがって、ユーザに無意味な操作を要求しないので、操作性の犠牲が少なくて済む。
【００１８】
（５）  前記第２の排出機構のトレイが排出状態にある場合であって、前記第１の排出機構に対応する収納部に記録媒体が入っていないときは、
前記選択手段は、排出キーが最初に押されると、その後のキー操作を受けなくとも、前記第２の排出機構を動作させて、前記トレイを前記再生装置内部に搬入させる。
【００１９】
この構成では、第１の排出機構については、前記電気的入力による手段では、排出することしかできないから、記録媒体が収納部に入っていないときは、無効になる。即ち、選択手段でいずれの記録媒体を搬入、排出するのかを選択する余地はないから、第２の排出機構が１つの場合には、その後のキー操作を受けなくとも（その後のキー操作を受けてもよいがそれに関係なく）、第２の排出機構を動作させる。したがって、ユーザに無意味な操作を要求しないので、操作性の犠牲が少なくて済む。
【００２０】
（６）  前記第１の排出機構は、ビデオテープを排出する排出機構であって、
前記第２の排出機構は、光ディスクのトレイの排出、搬入機構であるとすることができる。
【発明の効果】
【００２１】
本発明によれば、トレイの出し入れのためのキーを共用にしているので、コストダウンに寄与する。装置本体の操作子でその代用をしているので、操作の犠牲が少ない。
【発明を実施するための最良の形態】
【００２２】
図２を用いて、再生装置１の外観について説明する。再生装置１は、ビデオテープ、ＤＶＤ（またはＣＤ）の２つの記録媒体について再生を行う装置である。図２（Ａ）に示すように、前面パネルにビデオテープ挿入口５２、ＤＶＤトレイ６１、ＶＨＳモードキー８１、ＤＶＤモードキー８２、排出キー８３（即ち、いわゆるイジェクトボタン）、液晶表示部３を備える。これらは、それぞれ、従来技術を示す図１の１０１〜１０４、１０８に対応する。また、再生装置１は、ビデオテープ排出キー１０５、ＤＶＤ排出キー１０６の代わりに、これらを共用する排出キー８３を備える。
【００２３】
ビデオテープ挿入口５２は、ビデオテープが挿入される挿入口で、前面に内部保護用の扉がついている。ＤＶＤトレイ６１は、ＤＶＤを下支えするトレイである。ＶＨＳモードキー８１、ＤＶＤモードキー８２は、各々の記録媒体に対する操作をアクティブにするよう切り換えるキーである。例えばＶＨＳモードキー８１を押すと、ビデオテープに対する操作をアクティブにし、再生、早送り、巻き戻し等の操作を受け付けると、ビデオテープに対する操作としてこれらを実行する。液晶表示部３は、再生装置１本体の状態を示す。例えば、再生時間、現在のアクティブなモード、録画中、再生中などの状態を表示する。
【００２４】
排出キー８３が押された場合には、液晶表示部３の表示を点滅させて、ビデオテープ、ＤＶＤのいずれに対する操作であるかの決定をユーザに促す。ＶＨＳモードキー８１、ＤＶＤモードキー８２のいずれかが押されると、それに対応する記録媒体について、排出または搬入の動作を行う。なお、排出キー８３を現在のモードに対する操作として受け付けることも装置として可能であるが、ユーザは現在アクティブでない記録媒体についても取り出す場合があるので、この方法よりも前述したように排出キー８３が押されてから、キー操作によりユーザに選択させるほうが好ましい。
【００２５】
図２（Ｂ）は、ＤＶＤトレイ６１の排出状態の様子を表わしている。この様子は、本発明の排出時に相当する。
【００２６】
ここで、排出キー８３を１つに共用できるかは、電気的入力を受け付けるキー操作で排出機構を起動できるか否かにかかる。例えば、ＳＤカード（商標）用の特定のソケットのように、スイッチを押すとこれと機構的に直結したロックが外されて排出される排出機構は、そのスイッチの機構がロックを外すためだけに用いられる。したがって、この搬出機構には、スイッチと１対１で対応しており、その記録媒体の排出のためのスイッチを他と共有することはできない。これに対し、電気入力が与えられることを契機として、電磁的手段によりそのロックを外したり、モータによりトレイを排出することができ、その記録媒体の排出機構の入力操作を他と共有することができる可能性がある。例えば、マイコン制御やパソコンのソフトウェアの制御により、また、論理回路、アナログ回路によりなしうる。
【００２７】
本実施形態の記録媒体（ビデオテープ、ＤＶＤ）は、この点について以下のとおりである。ビデオテープを挿入するときは、ユーザがビデオテープ挿入口５２に押し付けて挿入する。ビデオテープを排出するときは、排出キー８３等の所定のキー操作を受けて、ビデオテープを外部へ放出する。このように、ビデオテープの挿入はキー、ボタン、スイッチといった電気的入力を用いないが、これを排出するときは、上述した排出キー８３等による電気的入力により行う。ＤＶＤトレイ６１は、挿入時、排出時とも内部のモータを含む駆動部により、ＤＶＤトレイ６１が前後進する。これらの挿入、排出動作は、いずれも、上述した排出キー８３等の所定のキー操作、即ち電気的入力を受けることを契機としてなされる。
【００２８】
次に、図３を用いて、再生装置１内部の構成について説明する。再生装置１は、液晶表示部３、放送受信部４、ＶＨＳユニット５、ディスクユニット６、信号処理部７、操作部８、制御部９を備える。また、再生装置１の外部に表示器１０９を接続している。なお、図中、点線の矢印は、制御部９との間の制御信号の送受信を表わす。
【００２９】
液晶表示部３は、文字を表示する。例えば、装置の各種の状態を表わす文字を表示する。液晶表示部３の構成としては文字を表示できれば良く、必ずしもドットマトリクス形式でなくても良く、数字、アルファベットなど固定の文字の組み合わせを表示してもよい。
【００３０】
放送受信部４は、放送を受信する。例えば、放送受信部４は、デジタル放送受信部、アナログ放送受信部のいずれか、または両方の構成、およびチューナ制御部を備える。
【００３１】
デジタル放送受信部は例えば以下のように構成できる。受信部には、アンテナが接続されており、アンテナは、電波を受信する。受信部は、チューナパック、地上デジタルモジュール、チューナ制御部、復調回路、誤り訂正回路を備えている。チューナパックは、ＩＦフィルタ、ＩＦアンプ等を備えている。ＩＦフィルタ（intermediate frequency）はチューナ制御部から指示された所定の物理チャンネルの信号を通す。ＩＦアンプは、この信号を増幅する。これにより、チューナパックは、チューナ制御部により指定されたチャンネルの放送信号を抽出する。また、復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正して、地上デジタルモジュールに出力する。地上デジタルモジュールは、マルチプレクサ、バッファメモリを備えている。ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。
【００３２】
アナログ放送受信部は、例えば以下のように構成できる。アナログ放送受信部は、ＩＦフィルタ、ＩＦアンプ等、映像処理部を備える。ＩＦフィルタ（intermediate frequency）はチューナ制御部から指示された所定の物理チャンネルの信号を通す。ＩＦアンプは、この信号を増幅する。これにより、所定のチャンネルの放送信号を抽出する。映像処理部は、表示データ生成部、同期検出回路、フレームメモリを備える。色信号再生部は、カラー映像信号から色信号を取り出し、ＲＧＢの３原色信号を生成する。同期検出回路は、カラー映像信号から水平同期信号、垂直同期信号を取り出す。表示データ生成部は、３原色信号をＡ／Ｄ変換し、水平同期信号、垂直同期信号に基づいて、映像処理部３３内のフレームメモリに記憶する。
【００３３】
ＶＨＳユニット５は、ビデオテープに対する記録、読み出しを行う。ユニット５は、排出/搬入機構部５１、テープ駆動部、磁気ヘッド、テープ検出部などを備える。排出/搬入機構部５１は、上述したように、搬入時にはユーザの手によりビデオテープ挿入口５２に押し込まれると、テープ検出部がこれを検出して、ビデオテープを引き込む。排出時には、排出キー８３等の所定の操作を受けた場合に、テープ検出部がテープを検出するとモータを駆動して排出する。テープ駆動部は、テープの回転を制御する。磁気ヘッドは、周知のＶＨＳ（Vertical Helical Scan）形式により記録、再生を行う。即ち、ヘッドが回転しつつ、テープ走行面に対し、斜めの短冊状に記録を行い、その記録を読み出す。
【００３４】
放送受信部４、ＶＨＳユニット５は、その出力のうち、音声については、信号処理部７の出力部に入力する。また、放送受信部４、ＶＨＳユニット５は、その映像出力を画像調整部に入力する。ただし、アナログ形式の映像信号については、図示しないＡ/Ｄ変換器によりデジタルフレーム画像に変換する。
【００３５】
エンコーダは、入力部２で入力したアナログ形式の映像信号および音声信号をデジタル信号に変換して、これらをエンコードする。符号化部３は、このエンコードしたデータをディスクドライブ４に出力する。
【００３６】
ディスクユニット６は、ＤＶＤトレイ６１、トレイ駆動部６２、光学系、ディスク駆動部、記録再生信号生成部を備える。ＤＶＤトレイ６１は、ディスクを下支えするトレイであり、前面パネルから突出したり（排出状態、図２（Ｂ）参照。）、後退したりする。なお、トレイは、ディスクを下支えしなくても、トレイから突出した爪によりディスクを立てかけても良い。
【００３７】
トレイ駆動部６２は、ＤＶＤトレイ６１の移動を駆動するモータ、モータに電流を供給するアンプを含む。光学系は、ピックアップヘッド（不図示）に含まれ、対物レンズ、半導体レーザ、シリンドリカルレンズ、ハーフミラー、受光素子などを含んでいる。これらの構成により、光学系は、ＤＶＤディスク表面にレーザ光を照射して、反射光を受光素子に導く。受光素子は、反射光の強度を検出して電気信号に変換し、ユニット６は、この電気信号に基づいて、ディスク表面のデータを読み取る。ディスク駆動部は、ディスク回転を支持する支持部、ディスク回転用モータ、半径方向にピックアップを移動させるスレッド方向移動用モータ、フォーカス、トラッキングそれぞれの方向の調整を行うアクチュエータ、トラックとの誤差からアクチュエータを制御する信号を生成するサーボ制御部を備える。これにより、ディスクユニット６は、ディスク駆動部、サーボ制御部を用いて、ＤＶＤ１０のトラックに追従させる。
【００３８】
信号処理部７は、復調部、デコーダ、ＯＳＤ合成部、出力部、エンコーダを備えている。復調部は、ディスクドライブ４が読み取ったＲＦ信号から、映像データと音声データを復調し、誤り訂正を行う。デコーダは、ディスクユニット６等に記録された、デジタル形式で圧縮されたデジタル映像データとデジタル音声データをデコードする。デコーダは、映像データについては、画像調整部に出力する。デコーダは、音声信号については、デコーダの出力を出力部に出力する。
【００３９】
画像調整部は、デコーダ、放送受信部４、ＶＨＳユニット５等から出力された（アナログ映像信号については、上述のとおり適宜Ａ/Ｄ変換された）映像信号を入力する。画像調整部は、入力した映像信号の色相、スケール、アスペクト比の調整を行う。
【００４０】
ＯＳＤ合成部５３は、文字、キャラクタ等を表示するためのメモリを備えており、このメモリを用いてＯＳＤ（On Screen Display）を合成する。制御部９は、内部で生成した文字データを基にして、種々のＯＳＤを合成するようＯＳＤ合成部にコマンドを発行する。デコーダから映像信号が出力されている場合には、この映像信号とＯＳＤを合成し、出力部６に出力する。また、この映像信号の出力を禁止して、ＯＳＤのみを出力してもよい。
【００４１】
信号処理部７の出力部は、Ｄ/Ａ変換器等を備え、信号処理部５で処理された映像信号、音声信号をＤ/Ａ変換する。出力部は、Ｄ/Ａ変換した映像信号、音声信号を同期させて、表示器１０９に出力する。信号処理部７のエンコーダは、記録媒体に記録できる形式に変換する。例えば、ＭＰＥＧ形式に変換する。
【００４２】
操作部８は、リモコン信号受信部８０、本体操作キー（ＶＨＳモードキー８１、ＤＶＤモードキー８２、排出キー８３）を備え、装置本体に対する操作を指示する入力を受け付ける。リモコン信号受信部８０は、リモコン８５から送信されたリモコン信号を受信する。操作部８は、リモコン信号、本体操作キーの信号をリモコン信号として制御部９に伝達する。リモコン８５は、複数の操作子を備え、操作子が押されるとリモコン信号を送信する。なお、操作部８は、本体操作子のスイッチのオンオフを、リモコン信号として制御部９へ送信するのではなく、ハイ、ローの信号として、制御部９の端子に直接入力しても良い。
【００４３】
制御部９は、マイコンで構成し、ＣＰＵ、ＲＡＭ、制御データ格納用のＲＯＭを備える。制御部９は、操作部８で受け付けた入力に基づいて、以上で示した装置のうち３〜８の各部の動作を制御する。また、制御部９のＲＯＭは、排出処理９４、記録媒体の再生処理、再生装置１の初期設定を受け付ける初期設定処理、記録媒体をダビングするためのダビング処理等を実行するためのサブルーチンを記憶している。
【００４４】
排出処理９４は、排出キー８３が押された後の制御を行う処理である。その後のキー操作に応じて、ビデオテープを排出したり、ＤＶＤを排出したりする。また、ＤＶＤトレイ６１が搬出状態にある場合（図２（Ｂ）参照）には、ＤＶＤを内部へ搬入したりする。
【００４５】
表示器１０９は、信号処理部７の出力部から出力された映像信号に基づいて映像を表示する。表示器１０９に付属のスピーカは、出力部から出力された音声信号を増幅して音声を放出する。
【００４６】
図４を用いて、排出処理９４を実行するときの液晶表示部３の表示例１〜３（図４（Ａ）〜図４（Ｃ））について説明する。排出処理９４は、前述のとおり、排出キー８３が押された場合に実行する処理である。排出キー８３が押されると、例えば、表示例１〜３のいずれかを表示する。図４（Ａ）の表示例１は、「ＶＨＳモード」３１、「ＤＶＤモード」３２を所定時間間隔で、交互に表示する。これにより、ビデオテープ、ＤＶＤのいずれを排出するかの選択をユーザに促す。図４（Ｂ）の例２では、「ＶＨＳモード」３３、「ＤＶＤモード」３４を所定時間間隔で、位置を変えながら、交互に表示する。
【００４７】
図４（Ｃ）の例３では、「ＶＨＳモード  ｏｒ  ＤＶＤモード」などと表示して、ビデオテープ、ＤＶＤのいずれを排出するかの選択をユーザに促す。このような表示をしているときに、ＶＨＳモードキー８１、ＤＶＤモードキー８２のいずれかが押されると、制御部９は、これらのキーに対応する側の記録媒体の排出または搬入を指示する。
【００４８】
なお、図４の「ＶＨＳモード」３１，３３の代わりに、「ビデオテープ排出」、「ＤＶＤモード」３２，３４の代わりに「ＤＶＤ排出」または「ディスク排出」でもよい。また、「図４（Ａ）、図４（Ｂ）の例では、いずれを先に表示しても良い。また、図４（Ｃ）の例では、点滅して表示するなど、ユーザの注意を引く表示にして、判断を促すようにしても良い。
【００４９】
また、以上の実施形態では、モードキー８１、８２により、いずれを排出するかを決定した。しかし、図４（Ａ）、図４（Ｂ）の例の代替的表示方法としては、「ＶＨＳモード」３１、３３を表示している間に再度排出キー８３が押されると、ビデオテープが排出され、かつ、「ＤＶＤモード」３２、３４が表示している間に再度排出キー８３が押されると、ＤＶＤが排出または搬入されるようにしても良い。即ち、排出キー８３が押されたときの表示部３の表示（「ＶＨＳモード」、「ＤＶＤモード」のいずれか）に対応する記録媒体の排出機構を動作させるようにする。
【００５０】
次に、図５、図６のフロー図を用いて、装置１の排出処理９４の例１、例２について説明する。
【００５１】
例１について説明する。
ＳＴ１：排出処理９４は、前述のとおり、排出キー８３が押された場合に実行する処理であり、排出キー８３が押されるまでは（ＳＴ１のＮＯ）、待機する。排出キー８３が押されると（ＳＴ１のＹＥＳ）、ＳＴ２以下を実行する。
ＳＴ２：ＤＶＤ/ＶＨＳのいずれを排出するかの決定をユーザに促す表示をする。例えば、液晶表示部３は、図４の例で示したように点滅する（ＳＴ２）。
ＳＴ３、ＳＴ５：ＤＶＤモードキー８２、排出キー８３のキー入力があるかどうか調べる。ＳＴ３、ＳＴ５で、キー入力がない限り（ＳＴ３のＮＯ、ＳＴ５のＮＯ）、ＳＴ２、ＳＴ３〜ＳＴ５を繰り返す。ＶＨＳモードキー８１、ＤＶＤモードキー８２のいずれかのキー入力がある（ＳＴ３のＹＥＳ、ＳＴ５のＹＥＳ）とそれに応じて、ビデオテープ排出（ＳＴ４）、またはＤＶＤトレイ６１排出を行う（ＳＴ６）。
【００５２】
なお、ＳＴ５において、ＤＶＤトレイ６１が排出状態にあるときは、ＤＶＤトレイ６１を内部に搬入する。この場合、ＳＴ２の表示は、ＤＶＤを搬入するか、ＶＨＳを排出するかのいずれかの決定を促す表示になる。
【００５３】
例２について説明する。例２は、例１の応用例である。この処理例は、ＳＴ１の後に、ＳＴ１１が追加されたことのみが異なり、その他のステップは、例１と同じなので、同じ符号を用いて、以上の説明を準用する。この例では、ビデオテープの排出/搬入機構部５１が、ビデオテープの排出時のみ電気的入力により動作することに着目して、フローの合理化を行っている。
【００５４】
ＳＴ１１では、制御部９は、ビデオテープが入っているかどうかを確認する。この確認は、接触式、光学的、磁力的センサ等で検出することにより行う。ビデオテープが入っていないときは、排出することができない。前述のとおり、ビデオテープの排出/搬入機構部５１が、ビデオテープの排出時のみ電気的入力により動作する。ビデオテープが入っていないときは、電気的入力を受けても、排出/搬入機構部５１は、動作することがなく、無効になる。この場合には、ＳＴ２〜ＳＴ４で、ビデオテープ、ＤＶＤのいずれの搬出をするかという選択をユーザにさせるのは、意味がない。そこで、ビデオテープが入っていないことをテープ検出部により検出して、これを検出した場合には（ＳＴ１１のＮＯ）、ＤＶＤに対する指示と推定できるから、制御部９は、ＳＴ２〜ＳＴ４を行うことなく、トレイ駆動部６２に指示して、ＤＶＤトレイ６１を排出させる。
【００５５】
他方、ＳＴ１１で、制御部９がビデオテープが入っていると判断したときは（ＳＴ１１のＹＥＳ）、ＳＴ２に進む。この場合には、ビデオテープの排出か、ＤＶＤの排出か（または、ＤＶＤを搬入するために空のＤＶＤトレイ６１を排出させるか）どうかは、ユーザの指示を仰がないとユーザの意図が分からない。そこで、図５のフローと同様、ＳＴ２以下を行う。
【００５６】
なお、図６のフローは、ＤＶＤトレイ６１が排出状態にあるときも有効である。即ち、排出状態にある場合にビデオテープが入っていないと、ビデオテープの排出/搬入機構部５１は働かないから、ＳＴ２以下の選択を受け付ける意味がない。したがって、ユーザの意図は、ＤＶＤトレイ６１の搬入であると推認できる。そこで、ＤＶＤトレイ６１が排出状態にある場合も、図６のフローを実行する。ＳＴ６においては、ＤＶＤトレイ６１の排出の代わりに、ＤＶＤトレイ６１の搬入を行う。
【００５７】
以上の実施形態について補足する。
【００５８】
制御部９の排出処理９４、操作部８は、本発明の選択手段に相当する。本実施形態では、制御部９をマイコンで構成した。しかし、選択手段の作用としては、ＶＨＳユニット５の排出/搬入機構部５１、ディスクユニット６のトレイ駆動部６２の一方に、動作を指示する入力が入ればよい。したがって、制御部９の代替手段としては、パソコンのソフトウェア上で実行しても良いし、論理回路、アナログ回路で構成しても良い。排出処理９４を行う上では、液晶表示部３および図４で示した表示がある方が望ましいが、これがなくても本発明の１実施形態として成立する。また、本発明の実施形態における液晶表示部３の意義は、ユーザに報知することであり、表示形態は、図４の表示例のみならず、表示器１０９に表示するものでもよいし、代替手段としては、音声で報知するものでもよい。
【００５９】
以上の図３の説明では、機能ごとに分離したブロックで説明したが、実装上は、これらの機能のうち、いずれかが複数の機能が一体となったシステムＩＣで構成してもよいし、一つのブロックを複数に分離して構成してもよい。例えば、制御部９と、信号処理部７とを一体にしたシステムＩＣで構成しても良い。
【００６０】
ＶＨＳユニット５の排出/搬入機構部５１、ディスクユニット６のトレイ駆動部６２は、本発明の記録媒体排出機構に相当する。ディスクユニット６のＤＶＤトレイ６１や、ＶＨＳユニット５のビデオテープ挿入口５２の内部は、本発明の収納部に相当する。記録媒体のドライブユニットは、ＶＨＳユニット５、ディスクユニット６以外でも良い。ただし、本発明の実施形態として、排出キー８３を１つにまとめて動作させるためには、排出または挿入の動作と操作キーとの関係が１対１ではなく、他の入力で代替し、条件に応じて切換できる構成が必要になる。実際的には、電気的入力を契機として行われるものを用いることが必要になる。なお、本発明の実施形態としては、上記電気的入力を用いない排出機構を備えるソケットに格納する記録媒体や、取り出すことがない記録媒体（例えばハードディスク）のソケットや、読み出し部を付加的に設けても良い。この場合、このソケットの排出キーは、キー８３と別に設けることになる。
【００６１】
ディスクユニット６のトレイ駆動部６２は、第２の排出機構に相当する。本実施形態では、ＤＶＤを再生するとしたが、光ディスクを再生する構成であればよい。ディスクユニット６は、ＤＶＤを再生するとしたが、例えば、ブルーレイや、コンパクトディスクを再生する構成であっても良い。
【００６２】
また、光ディスクユニットのトレイ排出機構であっても、本発明の第２の排出機構に相当するとは限らず、第１の排出機構に相当する場合がありうる。例えば、薄型のディスクユニットとしては、モータを用いず、電磁的開閉手段により、ロックを外す構成とすることが可能である（必ずしも薄型でなくても良い。）。この構成の場合、ロックが外れると、ばね力によりディスクを排出し、ユーザの手によりトレイを装置内部に搬入して再生装置へ押し付けるとロックがかかる。即ち、この構成は、排出時だけ電気入力を受けるので第１の排出機構に相当する。
【００６３】
放送受信部４、リモコン８５、リモコン信号受信部８０は、本発明の実施形態としては、必須ではない。信号処理部７の構成は一例であり、本発明の実施形態としては、少なくとも再生するための信号処理をすることができる構成があれば足りる。例えば、画像調整部、ＯＳＤ合成部、エンコーダは必須ではない。
【００６４】
また、本実施形態では、記録媒体のドライブユニットとして、ユニット５、６２つであるとして説明したが、３つ以上であっても良い。この場合、記録媒体それぞれに対応してモードキーを設け、ＳＴ２の後、モードキーの入力を受け付ける。また、図４（Ａ）、図４（Ｂ）のように各記録媒体について点滅させるようにすることができる。この場合には、その記録媒体が表示されているときに再度排出キー８３の入力を受け付けてもよい。この場合、排出処理９４を行う上では、各記録媒体に対応して、モードキーを設けることが不要になる。
【００６５】
また、記録媒体のドライブユニットが３つ以上である場合に、記録媒体の排出時のみならず搬入時においても、前記電気的入力により記録媒体を載置するトレイを出し入れする第２の排出機構が１つとすれば、図６のフローを準用できる。即ち、図６のＳＴ２のＮＯの分岐を「第１の排出機構の収納部のいずれに記録媒体が入っていないとき」とする。この場合、第１の排出機構の動作はすべて無効となる。したがって、排出すべきトレイが第２の排出機構１つに特定される。したがって、ＳＴ２，ＳＴ３、ＳＴ５のユーザからの入力は不要になり、図６のフローを準用することができる。
【００６６】
本発明の「収納部のいずれにも」において、第１の排出機構が１つであれば、その１つを意味する。
【００６７】
外部に接続する表示器１０９は、テレビでもよい。表示手段としては、例えば、液晶モニタ、プラズマモニタ、ＥＬモニタ、ブラウン管、プロジェクタなどで構成してもよい。
【図面の簡単な説明】
【００６８】
【図１】従来形態の再生装置の外観図である。
【図２】本実施形態の再生装置の外観図である。
【図３】本実施形態の再生装置内部の構成を示す図である。
【図４】本実施形態の再生装置の液晶表示部の表示例を示す。
【図５】本実施形態の再生装置の排出処理のフローを表わす。
【図６】本実施形態の再生装置の排出処理のフローを表わす。
【符号の説明】
【００６９】
１００−再生装置、  １０１−ビデオテープ挿入口、  １０２−ＤＶＤトレイ、
１０３−ＶＨＳモードキー、  １０４−ＤＶＤモードキー、
１０５−ビデオテープ排出キー、  １０６−ＤＶＤ排出キー、
１０８−液晶表示部、  １０９−表示器、
１−再生装置、  ３−液晶表示部、  ４−放送受信部、
５−ＶＨＳユニット、  ５１−排出/搬入機構部、  ５２−ビデオテープ挿入口、
６−ディスクユニット、  ６１−ＤＶＤトレイ、  ６２−トレイ駆動部、
７−信号処理部、  ８−操作部、  ８０−リモコン信号受信部、
８１−ＶＨＳモードキー、  ８２−ＤＶＤモードキー、  ８３−排出キー、
８５−リモコン、  ９−制御部、  ９１−ＣＰＵ、  ９２−ＲＡＭ、
９３−ＲＯＭ、  ９４−排出処理
【図１】
2009217910.tif 000003
【図２】
2009217910.tif 000004
【図３】
2009217910.tif 000005
【図４】
2009217910.tif 000006
【図５】
2009217910.tif 000007
【図６】
2009217910.tif 000008